(57)【特許請求の範囲】
【請求項１】
第１〜第ｍ（ｍは３以上の自然数）のＬＥＤパッケージが搭載された基板を備える照明器具であって、
前記基板上で、
前記第１のＬＥＤパッケージは、所定の直径を有する円の中心位置に配置され、
前記第２〜第ｍのＬＥＤパッケージの各々は、前記円の円周に沿って、かつ前記第２〜第ｍのＬＥＤパッケージの各々と前記円の中心とを結ぶ（ｍ−１）本の線分の各々によって、前記円の円周が略均等に分割されるように配置され、
前記第１〜第ｍのＬＥＤパッケージの各々はアノードおよびカソードを有し、
各ＬＥＤパッケージにおける、アノードとカソードとを結ぶ直線に沿ってアノードからカソードに向う方向を各ＬＥＤパッケージの取付方向とする場合に、前記第１〜第ｍの各ＬＥＤパッケージの取付方向は一致せず、各ＬＥＤパッケージの取付方向を示す矢印におけるアノード側の端点を互いに重ね合わせた場合、前記各ＬＥＤパッケージの取付方向を示す矢印によって、３６０度が略均等な角度でｍ分割され、
かつ、前記第１〜第ｍのＬＥＤパッケージの各々は、前記基板上に設けられる複数の配線パターンによって直列に接続されている照明器具。
【請求項２】
請求項１に記載の照明器具であって、
前記複数の配線パターンは、前記第２〜第ｍのＬＥＤパッケージのうちの一つのカソードと前記第１のＬＥＤパッケージのアノードとを接続する配線パターンと、前記第１のＬＥＤパッケージのカソードと前記第２〜第ｍのＬＥＤパッケージのうちの他の一つのアノードとを接続する配線パターンと、を含む照明器具。
【発明の詳細な説明】
【技術分野】
【０００１】
本発明は、複数のＬＥＤを用いた照明器具に関するものである。
【背景技術】
【０００２】
近年、省エネ等の観点から、ＬＥＤを用いた照明器具が提案されている（例えば、特許文献１参照）。
図６（Ａ）および図６（Ｂ）に示すように、特許文献１に記載の照明器具に用いられる発光モジュール１００（以後、「ＬＥＤユニット１００」という。）では、環状のベース１０２上に、５台の発光装置１０１（以後、「ＬＥＤパッケージ１０１」という。）が搭載されている。５台のＬＥＤパッケージ１０１は、ベース１０２の中心Ｏを中心点として同一円周上に均等な中心角で配置されている。従って、隣接するＬＥＤパッケージ１０１間の中心角度θは、７２度で等しい。
【０００３】
図６（Ｂ）に示すように、各ＬＥＤパッケージ１０１は、半径方向と直交する方向の間仕切り１０３により二等分されており、各領域にＬＥＤが設けられている。すなわち、ＬＥＤパッケージ１０１の向きである間仕切り１０３の方向は、ＬＥＤパッケージ１０１ごとに異なった向きとなる。
これにより、発光ムラを抑えて光を合成されやすくなるため、発光モジュール１００から照射される発光の、照射面における分離を回避することが可能となる。
【先行技術文献】
【特許文献】
【０００４】
【特許文献１】特開２００９−２３１５２５号公報（第７図）
【発明の概要】
【発明が解決しようとする課題】
【０００５】
しかしながら、前述したような従来の照明器具においては、各ＬＥＤの配線方向は、＋−（アノード・カソード）の向きが間仕切り１０３と平行、すなわち、接線方向に向けられている。このため、等分に分割した中心角に対応して、各ＬＥＤパッケージの方向が規則的に変化するので、配光のムラ消し効果が弱くなる場合があるという問題があった。
また、逆に、＋−（アノード・カソード）の向きが放射状に向けられている場合には、配線パターンが細くなったり、長くなったりして、温度効率、配線効率が不利になるという問題があった。
【０００６】
本発明は、従来の問題を解決するためになされたもので、ＬＥＤパッケージがバランスを崩すことによる配光ムラを小さくするとともに、温度効率および配線効率が優れた配線パターンを得ることができる照明器具を提供することを目的とする。
【課題を解決するための手段】
【０００７】
本発明の照明器具は、第１〜第ｍ（ｍは３以上の自然数）のＬＥＤパッケージが搭載された基板を備える照明器具であって、前記基板上で、前記第１のＬＥＤパッケージは、所定の直径を有する円の中心位置に配置され、前記第２〜第ｍのＬＥＤパッケージの各々は、前記円の円周に沿って、かつ前記第２〜第ｍのＬＥＤパッケージの各々と前記円の中心とを結ぶ（ｍ−１）本の線分の各々によって、前記円の円周が略均等に分割されるように配置され、前記第１〜第ｍのＬＥＤパッケージの各々はアノードおよびカソードを有し、各ＬＥＤパッケージにおける、アノードとカソードとを結ぶ直線に沿ってアノードからカソードに向う方向を各ＬＥＤパッケージの取付方向とする場合に、前記第１〜第ｍの各ＬＥＤパッケージの取付方向は一致せず、各ＬＥＤパッケージの取付方向を示す矢印におけるアノード側の端点を互いに重ね合わせた場合、前記各ＬＥＤパッケージの取付方向を示す矢印によって、３６０度が略均等な角度でｍ分割され、かつ、前記第１〜第ｍのＬＥＤパッケージの各々は、前記基板上に設けられる複数の配線パターンによって直列に接続されているものである。
【０００８】
また、本発明の照明器具は、前記複数の配線パターンは、前記第２〜第ｍのＬＥＤパッケージのうちの一つのカソードと前記第１のＬＥＤパッケージのアノードとを接続する配線パターンと、前記第１のＬＥＤパッケージのカソードと前記第２〜第ｍのＬＥＤパッケージのうちの他の一つのアノードとを接続する配線パターンと、を含むものである。
【発明の効果】
【０００９】
本発明は、ＬＥＤパッケージの配置される円の中心に対するアノード・カソードの向きが、隣に配置されるＬＥＤパッケージのアノード・カソードの向きと異なるように配置したので、照射面のムラを減少できる。また、配線パターンの流れを自然に引けるようにすることにより配線効率を改善し、配線パターンを広くして放熱面積を大きくすることにより温度効率を改善できるという効果を有する照明器具を提供できる。
【図面の簡単な説明】
【００１０】
【図１】本発明に係る実施形態の照明器具の全体斜視図
【図２】天井に取り付けた灯具の断面図
【図３】ＬＥＤパッケージを搭載した基板の斜視図
【図４】（Ａ）は基板に搭載されたＬＥＤパッケージの設置方向を示す平面図であり、（Ｂ）はＬＥＤパッケージおよび取付方向の拡大図
【図５】各ＬＥＤパッケージの取付方向を示す説明図
【図６】（Ａ）は従来の照明器具に用いられるＬＥＤユニットの構成を示す斜視図であり、（Ｂ）はＬＥＤパッケージの配置を示す平面図
【発明を実施するための形態】
【００１１】
以下、本発明に係る実施形態の照明器具について、図面を用いて説明する。
図１および図２に示すように、本発明に係る実施形態の照明器具１０は、被取付部である天井１１に設けられた取付孔１２に埋設して下方を照明するダウンライトとすることができる。
【００１２】
照明器具１０は、光源であるＬＥＤパッケージ２１を収容して所定方向へ照明光を照射する灯具２０を有する。
灯具２０には、ＬＥＤパッケージ２１を点灯させる電力を供給する電源部３０が、電線３１で接続されており、天井裏１１１に、灯具２０とは別々に載置あるいは取り付けられる。
【００１３】
図１および図２に示すように、灯具２０は、円柱形状の枠体２３に、回動可能（図１中矢印Ａ参照）に支持されており、照明方向の調整が可能となっている。枠体２３の下端（図１において下端）には、鍔部材２４が取り付けられ、枠体２３の側面には複数個（ここでは、例えば３個）の取付バネ２５が略水平方向外側へ放射状に張り出して設けられている。
従って、図２に示すように、灯具２０は、天井１１の下面に鍔部材２４を当接させ、取付バネ２５が天井１１の上面を下方へ押圧することにより、鍔部材２４と取付バネ２５とで天井１１を挟んで取り付けられる。
【００１４】
図１および図２に示すように、灯具２０には、ＬＥＤパッケージ２１が発する熱を放熱する複数枚の薄板状の放熱フィン２２が一体的に設けられている。放熱フィン２２は、灯具２０の回動方向と反対側に設けられている幅広の第１放熱フィン２２１と、回動方向側に設けられている幅狭な第２放熱フィン２２２を有する。第２放熱フィン２２２側の枠体２３上面には、灯具２０を傾けた際に、第２放熱フィン２２２を下側から支持する板バネからなる押え板２６が取り付けられている。
なお、第１放熱フィン２２１と、第２放熱フィン２２２を総称する場合には、放熱フィン２２と記すこととする。
【００１５】
図１に示すように、電源部３０は、矩形箱形の筐体３２を有し、例えば長手方向両端に、天井１１に載置あるいは固定するための取付部３３を有する。また、電源部３０は、天井裏１１１に配線されている商用電源の電源線（図示省略）に接続するための接続端子台３４を有しており、電源線の先端を接続端子台３４に差し込みことにより電気的に接続されるようになっている。
【００１６】
図２に示すように、灯具２０には、複数のＬＥＤパッケージ２１を搭載する基板２７が収容されている。
図３に示すように、基板２７には、中心にＬＥＤパッケージ２１１が搭載されており、このＬＥＤパッケージ２１１の周囲に円周上（円Ｒ）に６個のＬＥＤパッケージ２１２が搭載されている。
図４（Ａ）に示すように、ＬＥＤパッケージ２１２は、基準線ＡＲ０から時計方向に略均等な中心角で配置される。すなわち、時計方向に、ＬＥＤパッケージ２１２Ａ、ＬＥＤパッケージ２１２Ｂ、ＬＥＤパッケージ２１２Ｃ、ＬＥＤパッケージ２１２Ｄ、ＬＥＤパッケージ２１２Ｅ、ＬＥＤパッケージ２１２Ｆと配置される。
ここで、基準線ＡＲ０とは、中心のＬＥＤパッケージ２１１の取付方向を示す矢印である。
【００１７】
なお、中心のＬＥＤパッケージ２１１と周囲のＬＥＤパッケージ２１２とを区別することなく総称する際には、ＬＥＤパッケージ２１で示す。
また、ＬＥＤパッケージ２１２Ａ、ＬＥＤパッケージ２１２Ｂ、ＬＥＤパッケージ２１２Ｃ、ＬＥＤパッケージ２１２Ｄ、ＬＥＤパッケージ２１２Ｅ、ＬＥＤパッケージ２１２Ｆを総称する場合には、ＬＥＤパッケージ２１２で示す。
【００１８】
図３および図４（Ａ）に示すように、各ＬＥＤパッケージ２１は、隣接するＬＥＤパッケージ２１と配線パターン２８を介して電気的に接続される。配線パターン２８は、同一円周上で隣り合うＬＥＤパッケージ２１２の、カソード２１Ｂとアノード２１Ａとを電気的に接続する。配線パターン２８は、配線の流れが自然になるように設定する。
【００１９】
図４（Ａ）には、基板２７に搭載されるＬＥＤパッケージ２１の円Ｒの中心ＣＰに対するアノード２１Ａからカソード２１Ｂに向かう取付方向が、矢印ＡＲで示されている。
なお、取付方向とは、図４（Ｂ）に示すように、ＬＥＤチップ２９からカソード（陰極）２１Ｂ側に伸ばした矢印ＡＲの方向である。
すなわち、アノード（陽極）２１Ａからカソード（陰極）２１Ｂに向かう方向であり、同一円周上に配置されるＬＥＤパッケージ２１２Ａの方向を矢印ＡＲＡで示す。同様に、ＬＥＤパッケージ２１２Ｂの方向は矢印ＡＲＢ、ＬＥＤパッケージ２１２Ｃの方向は矢印ＡＲＣ、ＬＥＤパッケージ２１２Ｄの方向は矢印ＡＲＤ、ＬＥＤパッケージ２１２Ｅの方向は矢印ＡＲＥ、ＬＥＤパッケージ２１２Ｆの方向は矢印ＡＲＦで示す。
【００２０】
ここで、同一円円周上（すなわち、円Ｒの周上）に配置される複数のＬＥＤパッケージ２１２の、円Ｒの中心ＣＰに対する取付方向（矢印ＡＲ）は、隣に配置されるＬＥＤパッケージ２１２の取付方向と異なるように設定する。
すなわち、図４（Ａ）に示すように、矢印ＡＲは、全て別の方向に向かっていて、全てのＬＥＤパッケージ２１２の取付方向が異なっており、隣のＬＥＤパッケージ２１２とは取付方向が異なることがわかる。
【００２１】
図５には、各ＬＥＤパッケージ２１２の取付方向である矢印ＡＲを、１点を中心に重ねて表示した。各矢印ＡＲが基準線ＡＲ０となす角度をθとする。すなわち、矢印ＡＲＡの角度をθＡ、矢印ＡＲＢの角度をθＢ、矢印ＡＲＣの角度をθＣ、矢印ＡＲＤの角度をθＤ、矢印ＡＲＥの角度をθＥ、矢印ＡＲＦの角度をθＦで表示する。
【００２２】
各矢印ＡＲは、中心から放射状に向かっており、全ての矢印ＡＲが異なる向きであることがわかる。すなわち、隣同士を含めて全てのＬＥＤパッケージ２１２は、異なる方向に取り付けられている。
また、各矢印ＡＲは、図５に示すように、全周（３６０度）にわたって、略均等な中心角度で伸びている。すなわち、３６０度を、同一円周上のＬＥＤパッケージ２１２の個数（すなわち６個）で略均等に分割したいずれか一つの角度に設定する。
さらに、各矢印ＡＲは、ＬＥＤパッケージ２１２の配置順とはなっていない。すなわち、図５に示すように、矢印ＡＲの時計回りの配置は、矢印ＡＲＦ、矢印ＡＲＥ、矢印ＡＲＡ、矢印ＡＲＣ、矢印ＡＲＢ、矢印ＡＲＤであり、不規則である。
【００２３】
以上、説明した本発明に係る実施形態の照明器具１０によれば、ＬＥＤパッケージ２１２が配置される円Ｒの中心ＣＰに対する取付方向（ＡＲ）が、隣に配置されるＬＥＤパッケージ２１２の取付方向と異なるように配置したので、照射面のムラを減少できる。
また、配線パターン２８の流れを自然に引けるようにすることにより配線効率を改善することができ、配線パターン２８を広くして放熱面積を大きくすることにより温度効率を改善できる。
【００２４】
また、各ＬＥＤパッケージ２１２の取付方向（ＡＲ）を、ＬＥＤパッケージ２１２の個数で略均等に分割したいずれか一つの角度に設定したので、照射面を全体として均一化できる。
【００２５】
なお、本発明の照明器具は、前述した実施形態に限定されるものでなく、適宜な変形，改良等が可能である。
例えば、前述した実施形態においては、電源部３０として、灯具２０とは別個に設置する場合を例示したが、本発明は、電源部３０が灯具２０に取り付けられる場合にも適用可能である。
【符号の説明】
【００２６】
１０  照明器具
２１  ＬＥＤパッケージ
２１Ａ  アノード
２１Ｂ  カソード
ＡＲ  矢印（取付方向）
ＣＰ  中心
Ｒ  円
【図１】
0005842095.tif 000002
【図２】
0005842095.tif 000003
【図３】
0005842095.tif 000004
【図４】
0005842095.tif 000005
【図５】
0005842095.tif 000006
【図６】
0005842095.tif 000007